(57)【要約】【課題】仕掛けに掛かった魚類、特にマダコや大型魚類を逃がさずに確実に釣り上げることを可能とする新規な構造からなる魚類捕獲補助具、およびそれを使用した新規な魚類捕獲方法を提供する。【解決手段】吊上げ紐４を繋着した本体枠部２を有し、下向きに拡開状となる捕獲腕杆３，３，……が延伸され、その下端寄りで捕獲爪バリ３３よりも上位には、適宜選択された重量の錘３１，３１，３２，３２を固着すると共に、先端を本体枠部中央側に向けるよう上向き状に彎曲した捕獲爪バリ３３，３３，……を一体形成してなる魚類捕獲補助具である。【選択図】　　図１
2004135581.tif 000002
【特許請求の範囲】
【請求項１】
釣り用の各種仕掛け等に係わらず、竿先から吊下される釣糸を上下方向に通過可能にする程度の所定内径寸法とした環状体であって、吊上げ紐下端を繋着してなるものとした本体枠部を有し、該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとしたことを特徴とする魚類捕獲補助具。
【請求項２】
釣り用の各種仕掛け等に係わらず、竿先から吊下される釣糸を上下方向に通過可能にする程度の所定内径寸法とした環状体であって、該環状体の適宜箇所には、道糸の中途部を外側から内側への一方通行で横断、通過可能とするようにした逆止め挿通口が形成されると共に、吊上げ紐の下端枝別れ部分をバランスさせて繋着してなるものとした本体枠部を有し、該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとしたことを特徴とする魚類捕獲補助具。
【請求項３】
釣り用の各種仕掛け等に係わらず、竿先から吊下される釣糸を上下方向に通過可能にする程度の所定内径寸法とした環状体を複数個上下に適宜間隔を置いて並設、一体化し、吊上げ紐下端を繋着してなるものとした本体枠部を有し、該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとしたことを特徴とする魚類捕獲補助具。
【請求項４】
釣り用の各種仕掛け等に係わらず、竿先から吊下される釣糸を上下方向に通過可能にする程度の所定内径寸法とした環状体を複数個上下に適宜間隔を置いて並設、一体化し、それら各環状体の略同一箇所には、道糸の中途部を外側から内側への一方通行で横断、通過可能とするようにした逆止め挿通口が夫々形成されると共に、吊上げ紐下端枝別れ部分をバランスさせて繋着してなるものとした本体枠部を有し、該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとしたことを特徴とする魚類捕獲補助具。
【請求項５】
捕獲腕杆に一体化される錘は、本体枠部に形成された逆止め挿通口を挟んで隣接する捕獲腕杆のものを、それ以外の捕獲腕杆のものよりも重く設定し、全体の重心位置を逆止め挿通口側に移動してなるものとし、道糸を案内にして沈降していく本体枠部の姿勢が、逆止め挿通口形成側に傾くように規制された、請求項２または４何れか記載の魚類捕獲補助具。
【請求項６】
捕獲腕杆は、捕獲爪バリを除く大部分が弾性素材からなるものとした、請求項１ないし５何れか記載の魚類捕獲補助具。
【請求項７】
捕獲腕杆は、捕獲爪バリよりも上方側となる中途部に適宜弾性変形部を設けてなるものとした、請求項１ないし５何れか記載の魚類捕獲補助具。
【請求項８】
逆止め挿通口は、本体枠部環状体の中途部適所を切断状として形成された端部の少なくとも一方に、弾性素材からなる短尺パイプの基端部を被冠状に装着し、同短尺パイプの先端が、対峙する他方の端部に環状体内側から弾性的に当接状となるようにした、請求項１ないし７何れか記載の魚類捕獲補助具。
【請求項９】
対象魚類に応じた仕掛けを水中に投入し、魚類が仕掛けに食い付いた段階に、水上における道糸適所から、各捕獲腕杆が下向きとなる姿勢とした請求項１ないし８何れか記載の魚類捕獲補助具の本体枠部環状体を装着した後、吊上げ紐を送り出し、当該魚類捕獲補助具が、道糸を案内として、その錘の自重によって水中に素早く沈降させていって仕掛け先端に食い付いている魚類にまで到達させ、その勢いで複数の捕獲腕杆が魚類上方から魚類を抱持するよう被冠状としてから吊上げ紐をやや引き上げ、それら各捕獲腕杆下端の捕獲爪バリで当該魚類を引っ掛けた手応えを得たところで、吊上げ紐を引き上げていって当該魚類捕獲補助具諸共、捕獲した魚類を確実に水上まで引き上げ、捕獲するようにしたことを特徴とする、請求項１ないし８何れか記載の魚類捕獲補助具を使用した魚類捕獲方法。
【請求項１０】
対象魚類に応じた仕掛けを水中に投入し、魚類が仕掛けに食い付いた段階に、水上における道糸適所から、各捕獲腕杆が下向きとなる姿勢とした請求項１ないし８何れか記載の魚類捕獲補助具を、その本体枠部環状体の各逆止め挿通口を使って装着した後、吊上げ紐を送り出し、当該魚類捕獲補助具が、道糸を案内として、その錘の自重によって水中に素早く沈降させていって仕掛け先端に食い付いている魚類にまで到達させ、その勢いで複数の捕獲腕杆が魚類上方から魚類を抱持するよう被冠状としてから吊上げ紐をやや引き上げ、それら各捕獲腕杆下端の捕獲爪バリで当該魚類を引っ掛けた手応えを得たところで、吊上げ紐を引き上げていって当該魚類捕獲補助具諸共、捕獲した魚類を確実に水上まで引き上げ、捕獲するようにしたことを特徴とする、請求項２、４ないし８何れか記載の魚類捕獲補助具を使用した魚類捕獲方法。
【発明の詳細な説明】
【０００１】
【発明の目的】
この発明は、アジ、サバ、ブリ、アマダイ、イカ、タコ等といった、船上や防波堤等から釣り上げる比較的大型の魚類を、竿釣りや手釣りによって捕獲する際に有用な捕獲補助具に関するものであって、特に、仕掛けに掛かった魚類を逃がすことなく確実且つ簡単に捕獲することができるようにする新規な構造からなる魚類捕獲補助具、およびそれを使用した新規な魚類捕獲方法を提供しようとするものである。
【０００２】
【従来の技術】
我が国は、四方を海に囲まれているという地理的環境も手伝って釣りは古くからその筋の人々に親しまれてきていたが、新素材や製造技術の進歩で高品質な釣竿や仕掛け等が豊富且つ安価に供給されるようになったことと、経済的な余裕をもてるようになったこと等に起因して、今や国民的レジャーの一つに数えられるようになり、休日ともなれば多くの人々が、防波堤釣りや磯釣り、砂丘の投げ釣り、沖の船釣り、ボート釣り等、多様な釣りを気軽に楽しむことができるようになっている。
【０００３】
このように、多くの人々によって楽しまれるようになった釣りも、仕掛け具合や釣り場の状況判断等の良し悪し等様々な要因でその釣果にも大きな違いが生じてしまうものであって、かなりの経験者にあっても、試行錯誤を繰り返して得た知識を基に釣果を上げる工夫を凝らして釣り場に望み、首尾良く狙いとする獲物の手応えを得て引き上げる段になり、掛かった魚を水面近くまで引き上げたときや、魚体が水面上に揚がった瞬間等に、獲物が危険を察知して餌を放して逃げてしまったり、釣り糸が切れて逃がしてしまう等の失敗が常に付きまとうことから、魚等の獲物を釣り上げ、最終的に捕獲して釣果を得るには、仕掛け具合や釣り場の状況判断の他に、これまでのところでは、絶妙のタイミングで仕掛けを引き寄せて玉網を差し出さなければならいという、最終段階での高度なテクニックを要することとなっていた。
【０００４】
特に、仕掛けの先にタコテンヤを取り付けてマダコを釣る場合等には、タコテンヤに取り付けられた疑似餌やブタの脂身等にマダコが取り付いたのを釣り人が察知して道糸を引き上げようとすると、マダコが海底の岩等に絡み付いて大変重くなり、引き揚げるのに極めて強い力を要することとなる上、うまくそのような事態を回避できたとしても、慎重に引き揚げないと、異常に気づいたマダコが逃げてしまうことになり、しかも、やっとの思いで水面近くの肉眼で確認できる辺りまで引き揚げたときに、タイミング良く捕獲する手段を講じないと、危険を察したマダコが餌を放して簡単に逃げ去ってしまうといった憂き目に遭遇することも頻発することから、特に経験の浅いビギナー等にとっては、極めて難しい釣りの一つとされている。
【０００５】
この発明は、以上のように経験豊富な釣り人でなければ、容易には釣り上げることのできなかった大物の魚や、吸盤をもつ柔軟な足が海底の岩等に絡みついて引き揚げ難いマダコ等を、経験の浅い釣り初心者にも簡単且つ確実に釣り上げることを可能にする釣り用の補助具を提供するこはできないものかとの判断から、逸速くその開発、研究に着手し、長期に渡る試行錯誤と幾多の試作、実験とを繰り返してきた結果、今回、遂に新規な構造からなる魚類捕獲補助具、およびそれを使用した新規な魚類捕獲方法を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明の魚類捕獲補助具は、基本的に次のような構成から成り立っている。
即ち、釣り用の各種仕掛け等に係わらず、竿先から吊下される釣糸を上下方向に通過可能にする程度の所定内径寸法とした環状体であって、吊上げ紐下端を繋着してなるものとした本体枠部を有し、当該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとした構成を要旨とする魚類捕獲補助具である。
【０００７】
この基本的な構成からなる魚類捕獲補助具を、より具体的なものとして示すと、釣り用の各種仕掛け等に係わらず、竿先から吊下される釣糸を上下方向に通過可能にする程度の所定内径寸法とした環状体であって、該環状体の適宜箇所には、道糸の中途部を外側から内側への一方通行で横断、通過可能とするようにした逆止め挿通口が形成されると共に、吊上げ紐の下端枝別れ部分をバランスさせて繋着してなるものとした本体枠部を有し、当該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとした魚類捕獲補助具ということができる。
【０００８】
同様に、釣り用の各種仕掛け等に係わらず、竿先から吊下される釣糸を上下方向に通過可能にする程度の所定内径寸法とした環状体を複数個上下に適宜間隔を置いて並設、一体化し、吊上げ紐下端を繋着してなるものとした本体枠部を有し、当該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとした構成による魚類捕獲補助具ということができる。
【０００９】
さらに具体的には、釣り用の各種仕掛け等に係わらず、竿先から吊下される釣糸を上下方向に通過可能にする程度の所定内径寸法とした環状体を複数個上下に適宜間隔を置いて並設、一体化し、それら各環状体の略同一箇所には、道糸の中途部を外側から内側への一方通行で横断、通過可能とするようにした逆止め挿通口が夫々形成されると共に、吊上げ紐下端枝別れ部分をバランスさせて繋着してなるものとした本体枠部を有し、当該本体枠部の周回り所定間隔置き毎の複数箇所には、夫々下方側がやや外側に拡開状となるようにした捕獲腕杆を下向きに延伸、形成し、それら各捕獲腕杆の中途には、適宜選択された重量の錘を固着、一体化すると共に、同先端側を内側に向けて彎曲形成して上向き状となる捕獲爪バリとしたことを特徴とする魚類捕獲補助具。であるということができる。
【００１０】
本体枠部は、釣り用の各種仕掛けおよび道糸部分を比較的容易に上下通過可能とすると共に、下方に向けて延伸された複数本の捕獲腕杆の上端を捕獲した魚類の引き上げに十分な強度を支持可能とする機能を果たすものであり、捕獲対象となる魚類の体に略被冠可能な程度の内径寸法および形状に設定された環状のもの、例えば、平面形で真円環状、楕円環状または三角環状、四角環状、五角環状、六角環状等のような多角形環状、もしくは星型環状、花形環状等のような環状枠から形成されたものとすることが可能であり、それらは、道糸に沿って滑落、降下する際の姿勢の安定を考慮すると、上下所定間隔を隔てて配置された複数の環状体を略同心状の配置とし、適宜連結杆を配したり、後述する捕獲腕杆の上端側を兼用する等してそれらが上下に一体化され、全体として筒型骨格状をなすものに形成するのが望ましい。
【００１１】
環状体は、上記本体枠部の骨格体として主要部をなし、吊上げ紐および捕獲腕杆の夫々取付け支持部として機能すると共に、釣り用の各種仕掛けまたは道糸部分を内部に挿通した後は外れさせてしまうことがないよう機能するものであり、樹脂被膜スチールやステンレス、あるいは強度あるプラスチックや芯金入りプラスチック等強度と共に、耐塩性のある素材によって形成したものとし、道糸への装着を容易にするためには、中途部適所に、後述するとおりの逆止め挿通口を形成したものとし、道糸の中途部分を外側から内側への一方向にのみ横断状に通過可能としたものとするのが望ましい。
【００１２】
逆止め挿通口は、環状に形成された本体枠部の一部に、道糸の中途部を外側から内側の一方向にだけ横断状に通過可能とし、道糸の中途部に後からでも魚類捕獲補助具を装着可能とする機能を果たすものであり、したがって、上記環状体内に一旦装着してしまった道糸を、不用意に外側に外してしまうことのない構造によるものであって、しかも、本体枠部内への道糸の通過、装着作業を工具類等を用いることなく容易に行うことができるようにした各種構造、例えば、環状の本体枠部中途部が、分断されて、その分断開口部に弾性材部によって閉鎖された可動顎を設け、該可動顎に外側から道糸の中途部を強制的に押し付けると、一時的に弾性材部が変形され、可動顎を開放して道糸中途部を通過させてしまい、その直後に弾性材部の弾性復帰力によって再度、可動顎が閉鎖され、道糸中途部が本体枠部内側に、該本体枠部を横断状に通過するようにしたものや、後述する実施例に取り上げているような、本体枠部環状体の中途部適所を切断状として形成された端部の少なくとも一方に、弾性素材からなる短尺パイプの基端部を被冠状に装着し、同短尺パイプの先端が、対峙する他方の端部に環状体内側から弾性的に当接するよう形成したもの等、公知の各種構造によるものとすることが可能である。
【００１３】
吊上げ紐は、魚類捕獲補助具の水中への降下、および水上への引き上げ等の操作を可能とすると共に、上昇ならびに降下の際の魚類捕獲補助具の縦姿勢を維持するよう、本体枠部の平面環形状を略水平状に保つよう吊上げ可能とする機能を果たすものであり、捕獲された魚類を引き上げるのに十分な強度を有するものとしなければならず、捕獲の対象によっては漁を行う漁場の海底あるいは河床に到達可能な長さを有するものとする必要がある。
【００１４】
捕獲腕杆は、夫々の中途部に設けられた錘によって先端側を下方向に向けて降下し、その複数本によって仕掛けに食い付いた魚類の上方から被冠状に取り付いて、魚類をその外周側から把持するように包囲してしまい、それら先端に設けられた捕獲爪バリが、捕獲魚類に刺さることで、確実に捕まえてしまい、魚類捕獲補助具を引き上げるときには、捕獲された魚類が逃げないように引っ掛けて保持するものになるという機能を果たすものであり、本体枠部に形成された逆止め挿通口を挟んで隣接する付近の捕獲腕杆の錘を、逆止め挿通口から離れた位置の他の捕獲腕杆の錘よりも重く設定して全体の重心位置を逆止め挿通口側に移動した状態に設定されたものとし、上下作動の際に満ち糸が逆止め挿通口側に寄らないようにしたものとするのが望ましい。
【００１５】
また、仕掛けに掛かった魚類の上方から被冠状になり易く、しかも被冠状となった後には、強く獲物側を抱持状とするよう、下端の捕獲爪バリ部分を除く全体を弾発性素材からなるものとしたり、あるいは、捕獲爪バリよりも上位となる中途部適所に、魚類上方への進入を容易にした上、当該魚類を強圧し得るようにする、針金、竹、コイルバネや板バネ、あるいは合成樹脂やゴム製の棒等からなる弾性変形部を有するものとするのが望ましいと言える。
【００１６】
錘は、魚類捕獲補助具を所望の水深まで速やかに降下させると共に、魚類捕獲補助具自体の降下中の姿勢を適正に維持した上、その勢いで魚類上方からの被冠作動が確実に発揮されるようにする機能を果たすものであり、全ての捕獲腕杆、もしくは適宜選択された捕獲腕杆の各下端付近の夫々に固着されたものとしなければならず、比較的軽量で取扱い易い重量に設定されたものとすべきであり、本体枠部に形成された逆止め挿通口を挟んで隣接する付近の捕獲腕杆の錘を、逆止め挿通口から離れた位置の他の捕獲腕杆の錘よりも重く設定し、魚類捕獲補助具全体の重心位置を逆止め挿通口側に移動させ、逆止め挿通口側がやや下になる傾斜姿勢となって上下するようにすることにより、道糸が当該逆止め挿通口に触れ難くなるようにすると共に、道糸周りの回転動も発生し難くなるようにしたものとするのが望ましい。
【００１７】
捕獲爪バリは、魚類捕獲補助具内に入り込んだ捕獲魚類が抜出さない方向から刺さり、離脱不能な状態に陥れる機能と共に、海中から水面上まで引き上げる間に渡って捕獲された魚類の重量に耐えて強固に保持する機能を果たすものであり、複数本の捕獲腕杆の下端から互いの中心側に向かって彎曲させた上、環状枠部の中心寄り上方に向けて延伸され、その先端が先鋭状となるよう形成されたものとしなければならず、必要に応じ、捕獲腕杆毎に複数本の捕獲爪バリが熊手型あるいは碇型等に形成されたものとすることができ、先端側の基部付近にカエシ（アゴ）の形成されたもの等とすることができる。
【００１８】
【関連する発明】
上記した魚類捕獲補助具に関連し、この発明には、当該魚類捕獲補助具を使用した魚類捕獲方法も包含されており、基本的に次のとおりの構成から成り立っている。
即ち、対象魚類に応じた仕掛けを水中に投入し、魚類が仕掛けに食い付いた段階に、水上における道糸適所から、各捕獲腕杆が下向きとなる姿勢とした前記魚類捕獲補助具の本体枠部環状体を装着した後、吊上げ紐を送り出し、当該魚類捕獲補助具が、道糸を案内として、その錘の自重によって水中に素早く沈降させていって仕掛け先端に食い付いている魚類にまで到達させ、その勢いで複数の捕獲腕杆が魚類上方から魚類を抱持するよう被冠状としてから吊上げ紐をやや引き上げ、それら各捕獲腕杆下端の捕獲爪バリで当該魚類を引っ掛けた手応えを得たところで、吊上げ紐を引き上げていって当該魚類捕獲補助具諸共、捕獲した魚類を確実に水上まで引き上げ、捕獲するようにした構成を要旨とする、この発明の魚類捕獲補助具を使用した魚類捕獲方法である。
【００１９】
この発明の上記魚類捕獲方法を、より具体的な構成によるものとして示すと、対象魚類に応じた仕掛けを水中に投入し、魚類が仕掛けに食い付いた段階に、水上における道糸適所から、各捕獲腕杆が下向きとなる姿勢とした前記魚類捕獲補助具を、その本体枠部環状体の各逆止め挿通口を使って装着した後、吊上げ紐を送り出し、当該魚類捕獲補助具が、道糸を案内として、その錘の自重によって水中に素早く沈降させていって仕掛け先端に食い付いている魚類にまで到達させ、その勢いで複数の捕獲腕杆が魚類上方から魚類を抱持するよう被冠状としてから吊上げ紐をやや引き上げ、それら各捕獲腕杆下端の捕獲爪バリで当該魚類を引っ掛けた手応えを得たところで、吊上げ紐を引き上げていって当該魚類捕獲補助具諸共、捕獲した魚類を確実に水上まで引き上げ、捕獲するようにした構成からなる、この発明の魚類捕獲補助具を使用した魚類捕獲方法であるということができる。
【００２０】
この発明の魚類捕獲方法は、勿論、前記したこの発明の魚類捕獲補助具を使用する魚類の捕獲方法に制限されることになるものの、魚類捕獲補助具内に魚類を導くまでの工程においては特段の制限を受けず、広い範囲に渡っての利用が可能であり、各種仕掛けに応じて、あるいは、釣り場の状況に応じて捕獲方法の細部を変更することが可能である。
【００２１】
即ち、例えば、マダコを捕獲する場合のように仕掛けを海底に達するまで投入した状態において仕掛けにマダコが食い付いたときに、当該魚類捕獲補助具を海底まで、あるいは海底付近に達するまで道糸に沿って降下させてしまい、海底かその付近で各捕獲腕杆下端の捕獲爪バリに魚類であるマダコを抱持、掛着状に捕獲し、その後に水面上まで引き上げ、釣り上げることが可能である。
【００２２】
また、アジ、サバ、ブリ等比較的大型の魚を吊り上げる場合には、上記マダコ釣りの場合と同様に、海中の所定水深位置まで降下させた仕掛けに魚が食い付いたのを察知した後、直ぐさま当該魚類捕獲補助具を道糸に沿って降下させ、海中の所定水深位置にある仕掛けに到達すると、掛かった魚の上方から覆い被さるように被冠状とするか、あるいは、十分な食い付きを得たときには、釣糸だけで可能な範囲まで吊り上げてしまい、魚影を十分確認した段階になってから当該魚類捕獲補助具を道糸に沿って降下させて被冠状とするかして、各捕獲腕杆下端の捕獲爪バリが魚体に刺さり、抱持、掛着状に捕獲した状態で牽引して引き上げるという手順を踏むことが可能である。
【００２３】
さらにまた、竿を使わない手釣りの場合等には、仕掛けを水中に投入する以前、もしくは水中所定水深位置に投下した直後の道糸中途部に、当りを得る前野段階に予め当該魚類捕獲保護具を装着して置き、魚類が食い付いたのを察知した後、直ちに道糸に沿って魚類捕獲保護具を降下させることができるように準備を整えておいて釣りをするようにすること等も勿論可能である。
以下では、図面に示すこの発明を代表する実施例と共に、その構造について詳述することとする。
【００２４】
【実施例】
図１の魚類捕獲補助具の斜視図、図２の魚類捕獲補助具の逆止め挿通口の斜視図に示される事例は、マダコを釣り上げるための仕掛けとしてタコテンヤ５２を使用した場合について取り上げてあり、タコテンヤ５２は道糸５１下端に仕掛けられ、釣糸５を形成しており、この釣糸５に対して、捕獲腕杆３，３，……を下方に向けて一体化した延伸本体枠部２を吊上げ紐４の下端に繋着してなる構造とした、この発明の最も基本的な構成に基づいて具体化した魚類捕獲補助具１の代表的な一実施例である。
【００２５】
図１には、吊上げ紐４の上端側を省略して示す全体斜視図を示してあり、その図からも明瞭に把握可能となるように、タコテンヤ５２全体を上下通過とする略真円形に形成された二つの環状体２１，２１を、上下所定間隔を隔てた略同心状となるよう配置させ、周回りに等間隔を隔てて配した四本の支柱部（後述の捕獲腕杆３の上端を上方に延長した部分）によって筒形骨格状をなすように形成すると共に、各環状体２１，２１で、上下に略一致する中途部適所の夫々に、マダコ用の釣糸５の道糸５１中途部を外側から内側への一方向にのみ、横断状に通過可能とする逆止め挿通口２２，２２を形成した上、上段環状体２１の複数適所に略鉛直姿勢を保つ状態で引き上げ可能とする吊上げ紐４の、複数に枝分かれした下端を夫々繋着した本体枠部２を有し、当該本体枠部２の周回り等間隔置き毎の四ヵ所には、夫々下向きに拡開状となるよう所定長寸法の捕獲腕杆３，３，……が延伸され、各捕獲腕杆３，３，……の下端寄り中途部には、適宜選択された重量の錘３１，３１，３２，３２を固着すると共に、先端を本体枠部中央側に向けるよう上向き状に折曲させた捕獲爪バリ３３，３３，……を一体形成することによって魚類捕獲補助具１としている。
【００２６】
本体枠部２は、直径６ｍｍ程度のステンレスまたは鋼製等の金属丸棒を真円状に湾曲させ、直径１２ｃｍ前後の円形に形成した上下二つの環状体２１，２１を有し、凡そ５ｃｍ程度の上下間隔を隔てて同心状に配置させたものとした上、周回り約９０゜毎の位置に設けた直径１．５〜２ｍｍ程度のステンレスまたは鋼製等の金属棒捕獲腕杆３，３，……の各基端側を上方側に５ｃｍ程度余分延長したものとし、その部分を上下二つの環状体２１，２１を上下に貫通した状態に排して支柱部を兼用するようにしてあり、それら上下二つの環状体２１，２１との交叉部を熔着、一体化して略円筒形骨格状をなすものに形成されている。なお、この上下二つの環状体２１，２１の一体化には、熔着以外に鑞付けや接着剤による結合、あるいは、適所をプレス加工、折曲加工する等の手段で代替できることは言うまでもない。
【００２７】
本体枠部２には、水深を越える長さ寸法、つまり漁の対象となる釣り場の海底に十分に到達可能な程度の長さに設定された釣り上げ紐４の下端を繋着したものとなっており、該釣り上げ紐４は、本体枠部２近傍の中途部適所にスイベルスナップ４１やスナップフック、カラビナ等の着脱可能な連結機構を設け、さらにその紐部下端側１６ｃｍ程度を、四本に枝分かれさせて上段環状体２１における各捕獲腕杆３，３，……基端部との結合箇所に縛り付け、本体枠部２の略円筒骨格形状を略鉛直状の姿勢で釣り上げ可能に形成したものにしてある。
【００２８】
本体枠部２上下環状体２１，２１の捕獲腕杆３，３，……の結合部から外れた中間位置の中の一ヵ所であって、各環状体２１，２１の互いに上下一致する箇所の夫々には、図２中に示すように、釣糸５の道糸５１が十分に通過可能な３〜４ｍｍ程度の間隔を開けた切断部が形成され、その何れか一方の端部に合成樹脂製または天然ゴム製の短尺パイプ２３の一端側を装着し、同短尺パイプ２３他端側が、３〜４ｍｍ程度の間隔を開けて対峙する環状体２１他方端部に、環状体２１の中心側から外径側に向けて弾性的に当接し、該切断開口部を閉鎖するものとした逆止め挿通口２２，２２が形成されている。
【００２９】
各捕獲腕杆３，３，……は、その先端側を下方に向けて１８〜２０ｃｍ程度延伸され、下方に向かうにしたがって先端側を拡開状とするようにして対峙することしとなる捕獲腕杆３，３双方間の距離を大きくし、対峙するもの同士の最下端間の距離が１７〜２０ｃｍ程度に設定してあり、その形状および素材故に、適度に撓ってその対峙間隔を外力によって容易に拡大することが可能な構造とし、各中途部下端側の適所には、１２号と２０号とした錘３１，３１，３２，３２が夫々適宜選択的に装着されており、この中２０号の錘３１，３１は、逆止め挿通口２２を挟んで配置する二本の捕獲腕杆３，３に、１２号の錘３２，３２が、これとは反対側に配置された二本の捕獲腕杆３，３に夫々固着してあり、さらに、各捕獲腕杆３，３，……の下端には、ハリ先を本体枠部２の略中央側に向けて斜め上向き状に折曲させた捕獲爪バリ３３，３３，……が一体に形成してなるものとなっている。
【００３０】
魚類捕獲補助具１の本体枠部２の形状は、図１に示す真円形ものに限定されるものではなく、必要に応じその他各種平面形状のものに変更することが可能であり、例えば、図８の魚類捕獲補助具の他の実施例の斜視図に示されるように、上下環状体２１，２１の形状を三角形状とし、軽量な錘３２を設けた捕獲腕杆３とは反対側の辺に逆止め挿通口２２，２２を形成し、その両側に配置する捕獲腕杆３，３に重量の重い錘３１，３１を夫々装着したものとすること等も勿論可能になるとおり、デザインや成形製、構造強度、単価等各種要因に適った形状のものとすることができる。
【００３１】
【作　用】
以上のとおりの構成からなるこの発明の魚類捕獲補助具１は、図３のマダコが食い付こうとする仕掛けの斜視図、図４の道糸に沿って降下する魚類捕獲補助具の斜視図、図５のマダコを捕獲した魚類捕獲補助具の斜視図、および図６の水面上に上昇された魚類捕獲補助具の斜視図に示されるように、この発明における魚類捕獲方法によって有効に利用可能なものとなる。
【００３２】
船上もしくは防波堤等から海中に投入されたマダコ用の釣糸５は、図３中に示すように、ブタの脂身やイシガニの疑似餌等をタコテンヤ５２に縛り付けたものを用い、海底に到達したタコテンヤ５２にマダコ６が食い付いたのを察知し後に、船上または陸上では、速やかに魚類捕獲補助具１を釣糸５の道糸５１に装着することとなる。
【００３３】
そのためには、先ず、魚類捕獲補助具１を、各捕獲腕杆３，３，……が下向きとなる縦姿勢とし、図２中の矢印に示されるように、上下環状体２１、２１の各逆止め挿通口２２，２２の短尺パイプ２３、２３端部に、道糸５１中途部を押し込むようにして外側から内側へ横断状に通過させる。道糸５１が通過した後の短尺パイプ２３、２３端部は夫々、逆止め挿通口２２，２２を内側から閉鎖して道糸５１中途部が、各逆止め挿通口２２，２２を内側から外側に向けて横断状に通過しないよう規制するものとなる。
【００３４】
道糸５１に装着した魚類捕獲補助具１は、図４中に示すように、吊上げ紐４を送り出すことによって道糸５１に沿って水上から海中へと案内され、降下中にあっては、捕獲腕杆３，３，……に設けられた錘３１，３１，３２，３２の中の、重量の重い錘３１，３１が白抜き矢印（大）に示すように下側になり、それらよりも重量の軽い錘３２，３２が白抜き矢印（小）に示されるように上側に配置し、逆止め挿通口２２，２２が、道糸５１の接触する位置とは反対側（下側）の配置となるよう魚類捕獲補助具１の姿勢が自動的に調節されるものとなり、降下途中における道糸５１からの不用意な離脱を極力防止すると共に、その姿勢によって道糸５１周りでの回転も、水平状態のまま沈降させる場合に比較して遥かに少なくすることができ、吊上げ紐４の道糸５１への絡まりを押えて円滑な沈降を実施可能にする。
【００３５】
このようにして道糸５１に沿って降下した魚類捕獲補助具１は、海底付近に到達した後、釣糸５の道糸５１を少し引き上げることにより、図５に示されるように、が、複数本の捕獲腕杆３，３，……の各捕獲爪バリ３３，３３，……がタコテンヤ５２に食い付いているマダコ６に突き刺さり、捕獲爪バリ３３，３３，……全体で抱持状になって逃れられない状態になることから、そのままマダコ６を確りと捕らえた魚類捕獲補助具１を引き上げるか、釣り上げ紐４と道糸５１とを同時に巻き上げることによって、魚類捕獲補助具１、または魚類捕獲補助具１共々釣糸５を引き上げさえすれば、図６に示すように、水面上に引き上げた場合にも、魚類捕獲補助具１は、危険に気づいて執拗に逃げようとするマダコ６を捕らえて放さず、捕り逃がすことなく確実に釣り上げることが可能となる。
【００３６】
また、所定水深にルアー５３を投入して、アジ、サバ、ブリ等を竿釣りまたは手釣りするような場合にも、図７中に示すように、ルアー５３への食い付きを察知した後に、前述と同様に逆止め挿通口２２，２２を通じて道糸５１を通過させ、同道糸５１に沿って魚類捕獲補助具１をルアー５３まで降下させ、捕獲腕杆３，３，……間に魚６を把持状に掛着させてしまい、ルアー３諸共魚類捕獲補助具１を水面上まで引き上げることにより、魚６を捕り逃がすことなく捕獲することが可能となる。
【００３７】
さらにまた、図８中に示した魚類捕獲補助具１のように、環状体２１，２１を三角形状に形成したものとすれば、道糸５１に装着した後の昇降操作の際に、軽い錘３２を設けた捕獲腕杆３が結合された頂角部分に道糸５１が収まり、重い錘３１，３１がその姿勢を維持するように作用するので、逆止め挿通口２２，２２が道糸５１に接触する可能性を格段に低減して道糸５１から魚類捕獲補助具１が不用意に離脱するのを、より確実に阻止するものとなる。
【００３８】
なお、何れの操作においても、魚類捕獲補助具１の環状体２１，２１を道糸５１に装着し、道糸５１を案内にして獲物を捕らえるようにした事例について説示してあるが、水面または水面近くまで釣糸５によって引き上げた場合、従来の落しタモの代用としての使用の仕方も可能であり、但し、その際には、道糸５１を案内としていないため、獲物に向かって狙いを付けるというテクニックを要することになる。
【００３９】
【効　果】
以上のとおり、この発明の魚類捕獲補助具によれば、魚類が仕掛けに食い付いた直後に、当該魚類捕獲補助具を道糸に沿って降下させ、本体枠部に設けられた複数本の捕獲腕杆によって直接的に捕獲魚類を抱持状に掛着してしまうため、食い付いた魚類に危険を察知して逃げ去る時間を与えることなく水中に居るまま捕獲できるので、餌を放して逃げ去ることができず、釣り人は、そのまま吊上げ紐を巻き上げることによって簡単且つ確実に魚類を釣り上げることができ、経験の浅い初心者にも容易に大物魚類やタコ等を釣り上げることができるようになる上、使用した仕掛けの釣り糸に対して過大な魚類が掛かってしまった場合にも、魚類が釣り糸を切断して逃げてしまうという事態を回避することができ、従前までに比較して、より大きな釣果を得ることができるという秀れた特徴を発揮するものである。
【００４０】
また、この発明の魚類捕獲方法によれば、魚類が食い付いた仕掛け道糸に沿って魚類捕獲補助具をその自重によって滑落するよう降下させ、捕獲魚類の上方から複数本の捕獲腕杆が抱持状に被冠して、各捕獲腕杆下端の捕獲爪バリが、捕獲した魚類の体に斜め下から上向き状に突き刺さり、確りと引っ掛けて確保してしまうことから、獲物の逃げ出しを確実に阻止することができると共に、道糸だけでは到底引き揚げるのが困難な大物の魚や、海底の岩等にしがみつくタコ等を強制的に引き揚げることができるので、従前までのような道糸の強度と、引き上げの技術とに頼った釣り上げや、タイミング良く差し出さなければならない玉網（落しタモ）を使用した釣り上げに比較し、遥かに確実な釣り上げを可能にすることができるという大きな効果が得られるものとなる。
【００４１】
特に、実施例に説明した魚類捕獲補助具１は、上記した特徴に加え、本体枠部２の環状体２１，２１の夫々に、短尺パイプ２３，２３を装着した逆止め挿通口２２，２２を形成したことにより、図２中に示したように、釣糸５の道糸５１の中途部を、環状体２１，２１の外側から内側に向けて横断状に装着することができ、しかも一度通過した道糸５１は、短尺パイプ２３，２３によって閉鎖された逆止め挿通口２２，２２を通じて外れることが抑止され、道糸５１から離脱することなく、釣糸５先端のタコテンヤ５２やルアー５３等に食い付いた魚類６にまで確実に到達し得るものにすることができるという効果が期待できるものとなる。
【００４２】
また、各捕獲腕杆３，３，……に設けられた錘３１，３１，３２，３２は、逆止め挿通口２２に近い二つの錘３１，３１が、重量の重い２０号に設定され、これとは反対側に位置する二つの錘３２，３２が、それらより重量の軽い１２号に設定（この設定は、狙いとする魚種や水深、潮の流れ等の要素で他のものに予め設定したものとしたり、適宜増減し得るようする。）してあることから、図４中に示したように、道糸５１に沿って沈降していく際に、各錘３１，３１，３２，３２の重量差によって逆止め挿通口２２，２２が自然に下側に位置する姿勢を保ち、道糸５に触れることなく降下することとなり、何等かの拍子に逆止め挿通口２２，２２を通じて不用意に道糸５１から離脱してしまうような事態を予め回避できるものとしてあって、より確実な釣果が得られることになるという利点を有しており、この効果は、図８中に示した環状体２１，２１が三角形その他の形状に形成された魚類捕獲補助具１でも、略同様に得ることができる。
【００４３】
叙述の如く、この発明の魚類捕獲補助具、およびそれを使用した魚類捕獲方法は、その新規な構成によって所期の目的を遍く達成可能とするものであり、しかも製造も容易で、比較的廉価に提供することが可能である上、経験の有無によらず、釣り上げることが困難な大物魚類を誰もが確実に釣り上げ可能にするという実効を期待し得ることから、これまでの器具類やテクニックだけで思うような釣果、特に大物魚類についての釣果を上げることができなかった多くの釣り人からは固よりのこと、それらの人々により良いサービスを願う釣具業界からも高く評価され、広範に渡って利用、普及していくものになると予想される。
【図面の簡単な説明】
図面は、この発明の魚類捕獲補助具、およびそれを使用した魚類捕獲方法の技術的思想を具現化した代表的な幾つかの実施例を示すものである。
【図１】魚類捕獲補助具の構造を示す一部を省略した全体斜視図である。
【図２】逆止め挿通口の構造を示す要部斜視図である。
【図３】マダコが仕掛けに食い付こうとする状態を示す斜視図である。
【図４】道糸に沿って降下する魚類捕獲補助具を示す斜視図である。
【図５】マダコを捕獲する魚類捕獲補助具を示す斜視図である。
【図６】魚類捕獲補助具が水面上に上昇する状態を示す斜視図である。
【図７】魚を捕獲した魚類捕獲補助具を示す斜視図である。
【図８】魚類捕獲補助具の他の実施例を示す斜視図である。
【符号の説明】
１　　　魚類捕獲補助具
２　　　本体枠部
２１　　同　環状体
２２　　同　逆止め挿通口
２３　　同　短尺パイプ
３　　　捕獲腕杆
３１　　同　錘（重い）
３２　　同　錘（軽い）
３３　　同　捕獲爪バリ
４　　　吊上げ紐
４１　　同　スイベルスナップ
５　　　仕掛け
５１　　同　道糸
５２　　同　タコテンヤ
５３　　同　ルアー
６　　　マダコ（魚、魚類）
【図１】
2004135581.tif 000003
【図２】
2004135581.tif 000004
【図３】
2004135581.tif 000005
【図４】
2004135581.tif 000006
【図５】
2004135581.tif 000007
【図６】
2004135581.tif 000008
【図７】
2004135581.tif 000009
【図８】
2004135581.tif 000010